(57)【要約】【課題】簡単にホームページの更新を行うことができるホームページ更新支援サーバ、それを用いたホームページ更新支援システム、ホームページ更新支援方法及びホームページ更新支援プログラム並びにホームページ更新支援プログラムを記録したコンピュータ読み取り可能な記録媒体を提供する。【解決手段】利用者端末Ａと閲覧者端末Ｂとホームページ更新支援サーバ１とがネットワークをなし、ホームページ更新支援サーバ１は、利用者のホームページを構成するファイルを蓄積するデータベース２と、前記ホームページのテキスト表示箇所を利用者端末Ａから文字入力が可能となるテキストボックスに変換した更新入力画面となるように前記ファイルを変換する更新入力画面作成手段１２と、更新された後の画面を構成するファイルをデータベース２に蓄積する制御手段１３とを有する。【選択図】      図１
2004334528.tif 000002
【特許請求の範囲】
【請求項１】
利用者が用いる少なくとも入力手段を備えた利用者端末及び閲覧者が用いる閲覧者端末との情報の送受信をネットワークを介して可能とする通信手段と、
前記利用者のホームページを構成するファイルを蓄積するデータベースと、
前記ホームページのテキスト表示箇所を前記利用者端末から文字入力が可能となるテキストボックスに変換した更新入力画面となるように前記ファイルを変換する更新入力画面作成手段と、
前記更新入力画面及び係る更新入力画面に対して利用者端末から入力された内容からなる更新確認画面を構成するファイルを前記データベースに蓄積する制御手段と、
前記利用者端末の表示画面に前記更新入力画面を表示させると共に、前記更新確認画面を表示させる表示情報出力手段と、
を有することを特徴とするホームページ更新支援サーバ。
【請求項２】
ネットワークを介して利用者が用いる少なくとも入力手段を備えた利用者端末及び閲覧者が用いる閲覧者端末との情報の送受信を可能とする通信手段と、
前記利用者のホームページを構成するファイルを蓄積するデータベースと、
前記ホームページの画像表示箇所にポップアップウィンドウ表示機能を関連付けさせ、前記ポップアップウィンドウに参照可能な画像ファイルを表示する項目が設けられた更新入力画面となるように前記ファイルを変換する更新入力画面作成手段と、
前記更新入力画面及び係る更新入力画面に対して利用者端末から入力された内容からなる更新確認画面を構成するファイルを前記データベースに蓄積する制御手段と、
前記利用者端末の表示画面に前記更新入力画面を表示させると共に、前記更新確認画面を表示させる表示情報出力手段と、
を有することを特徴とするホームページ更新支援サーバ。
【請求項３】
前記更新確認画面は、更新入力画面に替わって表示されることを特徴とする請求項１又は請求項２に記載のホームページ更新支援サーバ。
【請求項４】
利用者が用いる少なくとも入力手段を備えた利用者端末と閲覧者が用いる閲覧者端末とホームページ更新支援サーバとがネットワークを介して送受信可能に接続されたホームページ更新支援システムであって、
前記ホームページ更新支援サーバには、
前記利用者端末及び前記閲覧者端末との情報の送受信を可能とする通信手段と、
前記利用者のホームページを構成するファイルを蓄積するデータベースと、
前記ホームページのテキスト表示箇所を前記利用者端末から文字入力が可能となるテキストボックスに変換した更新入力画面となるように前記ファイルを変換する更新入力画面作成手段と、
前記更新入力画面及び係る更新入力画面に対して利用者端末から入力された内容からなる更新確認画面を構成するファイルを前記データベースに蓄積する制御手段と、
前記利用者端末の表示画面に前記更新入力画面を表示させると共に、前記更新確認画面を表示させる表示情報出力手段と、
を有することを特徴とするホームページ更新支援システム。
【請求項５】
利用者が用いる少なくとも入力手段を備えた利用者端末と閲覧者が用いる閲覧者端末とホームページ更新支援サーバとがネットワークを介して送受信可能に接続されたホームページ更新支援システムであって、
前記ホームページ更新支援サーバには、
前記利用者端末及び前記閲覧者端末との情報の送受信を可能とする通信手段と、
前記利用者のホームページを構成するファイルを蓄積するデータベースと、
前記ホームページの画像表示箇所にポップアップウィンドウ表示機能を関連付けさせ、前記ポップアップウィンドウに参照可能な画像ファイルを表示する項目が設けられた更新入力画面となるように前記ファイルを変換する更新入力画面作成手段と、
前記更新入力画面及び係る更新入力画面に対して利用者端末から入力された内容からなる更新確認画面を構成するファイルを前記データベースに蓄積する制御手段と、
前記利用者端末の表示画面に前記更新入力画面を表示させると共に、前記更新確認画面を表示させる表示情報出力手段と、
を有することを特徴とするホームページ更新支援システム。
【請求項６】
前記更新確認画面は、更新入力画面に替わって表示されることを特徴とする請求項４又は請求項５に記載のホームページ更新支援システム。
【請求項７】
利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページのテキスト表示箇所を前記利用者端末から文字入力が可能となるテキストボックスに変換した更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と、
を有することを特徴とするホームページ更新支援方法。
【請求項８】
利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と、
を有することを特徴とするホームページ更新支援方法。
【請求項９】
前記更新確認画面は、更新入力画面に替わって表示されることを特徴とする請求項７又は請求項８に記載のホームページ更新支援方法。
【請求項１０】
利用者が用いる少なくとも入力手段を備えた利用者端末と、
閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページのテキスト表示箇所を前記利用者端末から文字入力が可能となるテキストボックスに変換した更新入力画面更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と、
して機能させることを特徴とするホームページ更新支援プログラム。
【請求項１１】
利用者が用いる少なくとも入力手段を備えた利用者端末と、
閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と
して機能させることを特徴とするホームページ更新支援プログラム。
【請求項１２】
前記更新確認画面は、更新入力画面に替わって表示されることを特徴とする請求項１０又は請求項１１に記載のホームページ更新支援更新支援プログラム。
【請求項１３】
利用者が用いる少なくとも入力手段を備えた利用者端末と、
閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページのテキスト表示箇所を前記利用者端末から文字入力が可能となるテキストボックスに変換した更新入力画面更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と
して機能させることを特徴とするホームページ更新支援プログラムを記録したコンピュータ読み取り可能な記録媒体。
【請求項１４】
利用者が用いる少なくとも入力手段を備えた利用者端末と、
閲覧者が用いる閲覧者端末と前記利用者のホームページを構成するファイルを蓄積した蓄積手段を備えたホームページ更新支援サーバとがネットワークを介して送受信可能に接続される準備過程と、
前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、
前記更新入力画面及び係る更新入力画面に対して利用者端末から入力された内容からなる更新確認画面を構成するファイルを前記データベースに蓄積する蓄積過程と、
前記更新確認画面を前記利用者端末の表示手段に表示する更新確認過程と
して機能させることを特徴とするホームページ更新支援プログラムを記録したコンピュータ読み取り可能な記録媒体。
【請求項１５】
前記更新確認画面は、更新入力画面に替わって表示されることを特徴とする請求項１３又は請求項１４に記載のホームページ更新支援更新支援プログラムを記録したコンピュータ読み取り可能な記録媒体。
【発明の詳細な説明】
【０００１】
【発明の属する技術分野】
本発明は、コンピュータネットワークを利用したホームページ更新支援サーバ、それを用いたホームページ更新支援システム、ホームページ更新支援方法及びホームページ更新支援プログラム並びにホームページ更新支援プログラムを記録したコンピュータ読み取り可能な記録媒体に関するものである。
【０００２】
【従来の技術】
従来より、インターネット上に公開されるホームページは、雑誌や新聞と並ぶメディアのひとつとして定着しているが、例えば、災害や人災，特定の社会問題を扱ったもの等、マスコミに限らず個人等から発信されるものが貴重な情報として注目されている。このようなホームページによる情報発信を安定的に行うためには、頻繁な更新作業により常に新鮮な情報を提供し続けることが不可欠である。
【０００３】
現状のホームページの更新作業は、つぎのようにして行われている。まず、ＨＴＭＬ言語によるプログラミングを行い、更新しようとするホームページのＨＴＭＬファイルを作成する。ついで、上記ＨＴＭＬファイルを各種ブラウザで閲覧し、正常に表示されるか否かの動作確認を行う。つぎに、ＦＴＰ転送ソフトにより上記ＨＴＭＬファイルをウェブサーバにアップロードしたのち、ウェブサーバにアップロードされたＨＴＭＬファイルをインターネットに接続された端末装置のブラウザで閲覧し、正常に表示されているか否かの動作確認が行われる。
【０００４】
このようなホームページの更新作業においては、ＦＴＰ転送ソフトとブラウザといった２つのソフトウェアが必要であるうえ、ＨＴＭＬファイルを作成するためには、難解なＨＴＭＬ言語に精通するか、あるいはＨＴＭＬエディタというソフトウェアを準備する必要があった。また、１行書換えるだけでもＨＴＭＬファイルの全体を更新しなければならず、容量の大きなファイルを扱うことからくる作業のしづらさが避けられなかった。
このように、ホームページの更新作業の面倒を解決し、利用者のストレスを軽減する技術として、更新する可能性のあるホームページ上の項目に対して利用者側からメール送信された更新情報を整合させ、ホームページの更新作業に要する利用者の負担を軽減する技術が提案されている（例えば、特許文献１参照。）。
【０００５】
【特許文献１】
特開２００１−３５０６９０号公報（段落〔００２６〕−〔００４７〕、第２図）
【０００６】
【発明が解決しようとする課題】
しかしながら、特許文献１に記載の技術では、挿入用ファイルをメールによって利用者端末からｗｅｂサーバに送信して、ホームページ資源を修正する結果としてホームページが更新されるが、メールを使用しての更新は配送遅延が生じ、どのような更新がなされたのかを視覚的に認識することは困難であり、ホームページの更新作業に要する利用者の負担軽減をなすものとは言い難かった。
【０００７】
本発明は、以上の従来技術における問題に鑑みてなされたものであり、ＨＴＭＬの記述やＦＴＰに精通していない利用者にとっても簡単にホームページの更新を行うことができるホームページ更新支援サーバ、それを用いたホームページ更新支援システム、ホームページ更新支援方法及びホームページ更新支援プログラム並びにホームページ更新支援プログラムを記録したコンピュータ読み取り可能な記録媒体を提供することを目的とする。
【０００８】
【課題を解決するための手段】
前記課題を解決するために提供する本願第１の発明に係るホームページ更新支援サーバは、利用者が用いる少なくとも入力手段を備えた利用者端末及び閲覧者が用いる閲覧者端末との情報の送受信をネットワークを介して可能とする通信手段と、前記利用者のホームページを構成するファイルを蓄積するデータベースと、前記ホームページのテキスト表示箇所を前記利用者端末から文字入力が可能となるテキストボックスに変換した更新入力画面となるように前記ファイルを変換する更新入力画面作成手段と、前記更新入力画面及び係る更新入力画面に対して利用者端末から入力された内容からなる更新確認画面を構成するファイルを前記データベースに蓄積する制御手段と、前記利用者端末の表示画面に前記更新入力画面を表示させると共に、前記更新確認画面を表示させる表示情報出力手段とを有することを特徴とする。
【０００９】
前記課題を解決するために提供する本願第２の発明に係るホームページ更新支援サーバは、ネットワークを介して利用者が用いる少なくとも入力手段を備えた利用者端末及び閲覧者が用いる閲覧者端末との情報の送受信を可能とする通信手段と、前記利用者のホームページを構成するファイルを蓄積するデータベースと、前記ホームページの画像表示箇所にポップアップウィンドウ表示機能を関連付けさせ、前記ポップアップウィンドウに参照可能な画像ファイルを表示する項目が設けられた更新入力画面となるように前記ファイルを変換する更新入力画面作成手段と、前記更新入力画面及び係る更新入力画面に対して利用者端末から入力された内容からなる更新確認画面を構成するファイルを前記データベースに蓄積する制御手段と、前記利用者端末の表示画面に前記更新入力画面を表示させると共に、前記更新確認画面を表示させる表示情報出力手段とを有することを特徴とする。
【００１０】
前記課題を解決するために提供する本願第３の発明に係るホームページ更新支援サーバは、請求項１又は請求項２に記載のホームページ更新支援サーバにおいて、前記更新確認画面は、更新入力画面に替わって表示されることを特徴とする。
【００１１】
前記課題を解決するために提供する本願第４の発明に係るホームページ更新支援システムは、利用者が用いる少なくとも入力手段を備えた利用者端末と閲覧者が用いる閲覧者端末とホームページ更新支援サーバとがネットワークを介して送受信可能に接続されたホームページ更新支援システムであって、前記ホームページ更新支援サーバには、前記利用者端末及び前記閲覧者端末との情報の送受信を可能とする通信手段と、前記利用者のホームページを構成するファイルを蓄積するデータベースと、前記ホームページのテキスト表示箇所を前記利用者端末から文字入力が可能となるテキストボックスに変換した更新入力画面となるように前記ファイルを変換する更新入力画面作成手段と、前記更新入力画面及び係る更新入力画面に対して利用者端末から入力された内容からなる更新確認画面を構成するファイルを前記データベースに蓄積する制御手段と、前記利用者端末の表示画面に前記更新入力画面を表示させると共に、前記更新確認画面を表示させる表示情報出力手段とを有することを特徴とする。
【００１２】
前記課題を解決するために提供する本願第５の発明に係るホームページ更新支援システムは、利用者が用いる少なくとも入力手段を備えた利用者端末と閲覧者が用いる閲覧者端末とホームページ更新支援サーバとがネットワークを介して送受信可能に接続されたホームページ更新支援システムであって、前記ホームページ更新支援サーバには、前記利用者端末及び前記閲覧者端末との情報の送受信を可能とする通信手段と、前記利用者のホームページを構成するファイルを蓄積するデータベースと、前記ホームページの画像表示箇所にポップアップウィンドウ表示機能を関連付けさせ、前記ポップアップウィンドウに参照可能な画像ファイルを表示する項目が設けられた更新入力画面となるように前記ファイルを変換する更新入力画面作成手段と、前記更新入力画面及び係る更新入力画面に対して利用者端末から入力された内容からなる更新確認画面を構成するファイルを前記データベースに蓄積する制御手段と、前記利用者端末の表示画面に前記更新入力画面を表示させると共に、前記更新確認画面を表示させる表示情報出力手段とを有することを特徴とする。
【００１３】
前記課題を解決するために提供する本願第６の発明に係るホームページ更新支援システムは、請求項４又は請求項５に記載のホームページ更新支援システムにおいて、前記更新確認画面は、更新入力画面に替わって表示されることを特徴とする。
【００１４】
前記課題を解決するために提供する本願第７の発明に係るホームページ更新支援方法は、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページのテキスト表示箇所を前記利用者端末から文字入力が可能となるテキストボックスに変換した更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程とを有することを特徴とする。
【００１５】
前記課題を解決するために提供する本願第８の発明に係るホームページ更新支援方法は、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程とを有することを特徴とする。
【００１６】
前記課題を解決するために提供する本願第９の発明に係るホームページ更新支援方法は、請求項７又は請求項８に記載のホームページ更新支援方法において、前記更新確認画面は、更新入力画面に替わって表示されることを特徴とする。
【００１７】
前記課題を解決するために提供する本願第１０の発明に係るホームページ更新支援プログラムは、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページのテキスト表示箇所を前記利用者端末から文字入力が可能となるテキストボックスに変換した更新入力画面更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程として機能させることを特徴とする。
【００１８】
前記課題を解決するために提供する本願第１１の発明に係るホームページ更新支援プログラムは、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程として機能させることを特徴とする。
【００１９】
前記課題を解決するために提供する本願第１２の発明に係るホームページ更新支援プログラムは、請求項１０又は請求項１１に記載のホームページ更新支援更新支援プログラムにおいて、前記更新確認画面は、更新入力画面に替わって表示されることを特徴とする。
【００２０】
前記課題を解決するために提供する本願第１３の発明に係るホームページ更新支援プログラムを記録したコンピュータ読み取り可能な記録媒体は、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページのテキスト表示箇所を前記利用者端末から文字入力が可能となるテキストボックスに変換した更新入力画面更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程として機能させることを特徴とする。
【００２１】
前記課題を解決するために提供する本願第１４の発明に係るホームページ更新支援プログラムを記録したコンピュータ読み取り可能な記録媒体は、利用者が用いる少なくとも入力手段を備えた利用者端末と、閲覧者が用いる閲覧者端末と前記利用者のホームページを構成するファイルを蓄積した蓄積手段を備えたホームページ更新支援サーバとがネットワークを介して送受信可能に接続される準備過程と、前記ホームページの画像表示箇所にポップアップウィンドウ表示機能を関連付けさせ、前記ポップアップウィンドウに参照可能な画像ファイルを表示する項目が設けられた更新入力画面を作成する更新入力作成過程と、前記更新入力画面及び係る更新入力画面に対して利用者端末から入力された内容からなる更新確認画面を構成するファイルを前記データベースに蓄積する蓄積過程と、前記更新確認画面を前記利用者端末の表示手段に表示する更新確認過程として機能させることを特徴とする。
【００２２】
前記課題を解決するために提供する本願第１５の発明に係るホームページ更新支援プログラムを記録したコンピュータ読み取り可能な記録媒体は、請求項１３又は請求項１４に記載のホームページ更新支援更新支援プログラムを記録したコンピュータ読み取り可能な記録媒体において、前記更新確認画面は、更新入力画面に替わって表示されることを特徴とする。
【００２３】
【発明の実施の形態】
以下に、本発明の実施の形態について図面を参照して説明する。
【００２４】
図１は、本発明に係るホームページ更新支援システムの一実施形態における構成を示すブロック図である。図１に示すように、本発明に係るホームページ更新支援システムは、ホームページを提供する利用者が用いる利用者端末Ａと、前記ホームページを閲覧する不特定多数の閲覧者端末Ｂ（Ｂ１，・・・，Ｂｎ）と、ホームページ更新支援サーバ１（以下、サーバ１とする）とがインターネット等のネットワーク３を介して送受信可能に接続されてなる。
【００２５】
利用者端末Ａ及び閲覧者端末Ｂは、少なくともネットワーク３を介して送信された情報を表示する表示手段及び操作することによってその操作内容に係る情報がネットワーク３を介して送信することができる入力手段を有する。
【００２６】
また、サーバ１は、利用者端末Ａ及び閲覧者端末Ｂに対して各種情報通信を行う通信手段１０と、その通信手段１０を用いてサーバ１内で処理された各種情報を利用者端末Ａや閲覧者端末Ｂの表示手段の画面上で閲覧できるようにする表示情報出力手段１１と、ホームページを構成するファイルを所定の利用者毎に蓄積したデータベース２と、そのデータベース２に蓄積された前記ファイルを更新するための更新入力画面作成手段１２と、通信手段１０、表示情報出力手段１１、更新入力画面作成手段１２及びデータベース２を制御する制御手段１３とを有している。尚、データベース２は、サーバ１の内部に設置されずにサーバ１の外部にあってサーバ１に送受信可能に接続されてもよく、複数設けられてもよい。
【００２７】
データベース２に蓄積される情報は、前述したように、各利用者のホームページを構成するファイル群であるが、これらのファイル群は各利用者端末Ａからサーバ１に予め送信されているものである。すなわち、サーバ１は、利用者が自らのホームページのｗｅｂコンテンツを構成するＨＴＭＬファイルや画像ファイル等を蓄積させるための、いわゆるコンテンツサーバの機能を有したサーバである。
【００２８】
ここで、サーバ１に設けられた各手段について以下に説明する。以下に記載された各種手段は必要に応じてデータベース２に蓄積された情報を参照しながら処理を行うものとする。
【００２９】
（通信手段）
通信手段１０は、サーバ１内で処理された各種情報をインターネット等のネットワーク３を介して利用者端末Ａや閲覧者端末Ｂに対し送信したり、利用者端末Ａや閲覧者端末Ｂから送信された各種情報を受信する手段である。また、この通信手段１０はサーバ１に設けられた各手段の要求を受けて各種情報を送受信するものである。
【００３０】
（表示情報出力手段）
サーバ１内で処理された各種情報を、例えばＨＴＴＰ（Ｈｙｐｅｒ  ＴｅｘｔＴｒａｎｓｆｅｒ  Ｐｒｏｔｏｃｏｌ）等を用いてインターネット等のネットワーク３に接続した利用者端末Ａや閲覧者端末Ｂの表示画面上で閲覧できるようにする手段である。
【００３１】
（更新入力画面作成手段）
更新入力画面作成手段１２は、各利用者のホームページのｗｅｂコンテンツを構成するＨＴＭＬファイルや画像ファイル等に基づいて、視覚的な更新を可能にする表示画面を作成する手段である。具体的には、ホームページ上で文字表記されるものに対しては、テキストボックス形式で表示させて利用者端末Ａから変更可能なようにＨＴＭＬファイルを書き換える手段であり、ホームページ上で画像表示されるものに対しては、その画像に替わる画像ファイルを参照する画面をポップアップ表示するようにＨＴＭＬファイルを書き換える手段である。
【００３２】
（制御手段）
制御手段１３は、サーバ１からネットワーク３に対して行う各種情報の送信及びネットワーク３からサーバ１に対して送信された各種情報の受信を通信手段１０に指示する手段である。また、表示情報出力手段１１に利用者端末Ａ及び閲覧者端末Ｂの表示出力を指示する手段である。さらに、データベース２に蓄積された各利用者のホームページの構成情報を読み出したり、更新された当該利用者のホームページの構成情報を上書きしたりする手段である。加えて、所定の利用者端末Ａから更新内容に関する情報がサーバ１に送信されたことを受けて更新入力画面作成手段１２に更新入力画面を作成させ、その画面を表示情報出力手段１１及び通信手段１０を介して当該利用者端末Ａに表示させる手段である。
【００３３】
次に、本発明に係るホームページ更新支援方法の実施形態について図面を参照して以下に説明する。図２は、本発明に係るホームページ更新支援方法の実施形態においてサーバ１と利用者端末Ａとの間でなされる動作を示すシーケンス図である。また、図３〜図６は、本発明に係るホームページ更新支援方法の実施形態において、利用者端末Ａの表示手段に表示される内容を示す図である。
【００３４】
まず、データベース２には、各利用者のホームページを構成するファイルが各利用者毎に蓄積されているものとする。すなわち、本実施形態の初期状態において、各利用者のホームページがサーバ１からネットワーク３上に公開されており、各利用者は、それぞれＡ１、Ａ２…Ａｎの各自の端末を用いて各自のホームページを更新するものとする。また、各利用者はデータベース２に蓄積されている自らのホームページを構成するファイルを更新するために、サーバ１にアクセスするためのＩＤとパスワードを所有しているものとする。
【００３５】
図２に示すように、ネットワーク３を介して利用者端末Ａからサーバ１に対してホームページを更新するための更新画面の表示要求をするべくアクセスがなされる（Ｓ１）。このアクセスがなされた時点で、サーバ１は、アクセスしてきた利用者端末Ａがデータベース２に蓄積されているファイルに関連する利用者であるか否かの判定を行う（Ｓ２）。尚、この判定は制御装置１３に設けられた判定手段（図示せず）が行い、アクセスしてきた利用者端末Ａがデータベース２に蓄積されているファイルに関連する利用者でない場合にはアクセスを拒否する旨のメッセージを表示情報出力手段１１を介して当該利用者端末Ａの表示手段に表示させる。
【００３６】
そして、アクセスしてきた利用者端末Ａがデータベース２に蓄積されているファイルに関連する利用者であれば、制御手段１３が当該利用者のホームページに関するファイルをデータベース２から読み込み（Ｓ３）、更新入力画面作成手段１２が読み込んだファイルの所定箇所を加工する（Ｓ４）。ここで、加工される箇所とは、例えばホームページ上におけるテキスト表示箇所や、画像表示箇所である。テキスト表示箇所の加工に関しては、利用者端末Ａの表示手段に表示される際にテキストボックスとして表示されるように更新入力画面作成手段１２がＨＴＭＬファイル（ホームページを構成するファイルがＨＴＭＬファイルであった場合）の記述内容を変更する。また、画像表示箇所の加工に関しては、利用者端末Ａの表示手段に表示される際に利用者端末Ａの操作により画像をクリックするとその画像に代わる画像ファイルを参照及び更新決定ができるポップアップウィンドウが表示されるように更新入力画面作成手段１２がＨＴＭＬファイル（ホームページを構成するファイルがＨＴＭＬファイルであった場合）の記述内容を変更する。
【００３７】
このように更新入力画面作成手段１２によって加工されたファイルを更新ページとして関連づけて制御手段１３が該当する利用者端末Ａに送信する（Ｓ５）。そして、図３に示すような画面が、加工されたファイルが関連づけられた更新ページ１００として利用者端末Ａの表示手段に表示されて更新ページを利用者端末Ａ側で確認する（Ｓ６）ことができる。この更新ページには、「サイト名」１０１、「会社名」１０２、更新ボタン１０４をクリックすることで入力された利用者側の情報を更新するための「連絡先」１０３及びホームページ内の構成をページ別に示した複数の欄が表示され、各欄には、「ページ」項目１０５、「コンテンツ名」項目１０６及び「編集する／結果を見る」項目１０７，１０８の各項目が設けられ、「編集する」項目１０７を利用者端末Ａ側でクリックすると、該当するページの更新入力画面が表示され、「結果を見る」項目１０８を利用者端末Ａ側でクリックすると、該当するページの更新済み画面が表示される。ここで、前記更新入力画面において更新をしていない場合に「結果を見る」項目１０８をクリックした場合には、更新前の該当するページ（更新作業の直前のぺージ）が表示されるものとする。
【００３８】
（更新入力過程）
図３のトップページ欄の「編集する」項目１０７を利用者端末Ａ側でクリックすると、図４に示すような更新入力画面１１０が表示される。参考として更新前のページを図５に示すと、前述したように、更新入力画面は、図５においてテキスト表示されていた箇所がテキストボックス１１１ａ〜１１１ｅとして表示されている。このテキストボックス１１１ａ〜１１１ｅは、利用者端末Ａ側から入力することによって表示を変更することができる。また、画像表示箇所を利用者端末Ａの操作によりクリックした場合に表示されるポップアップウィンドウが用意されている。
【００３９】
ポップアップウィンドウ１２０は、例えば図６に示すように、図３の更新入力画面１１０における画像１１２を利用者端末Ａ側でクリックすることにより表示され、当該画像の更新を可能にするウィンドウである。すなわちクリックした画像に代わる画像ファイルを表示するための「参照」ボタン１２１、その「参照」ボタン１２１によって表示された画像ファイルを選択した場合に当該画像が関連づけされるためのアドレスを表示する表示領域１２２、「参照」ボタン１２１によって新たな画像ファイルを決定したときにクリックする「更新する」ボタン１２３及びポップアップウィンドウ１２０による作業を終了する際にクリックする「閉じる」ボタン１２４が設けられており、「参照」ボタン１２１をクリックすると、操作している利用端末Ａから参照可能な画像ファイルを参照するためのウィンドウ１３０が表示され、そのウィンドウ１３０内に新たな画像ファイルが表示される。そして、その中の画像ファイルを１つ選択することにより、当該ファイルを関連づけるためのアドレスが表示領域１２２に表示され、そのことを利用者が確認した上で「更新する」ボタン１２３をクリックすると、ウィンドウ１３０が閉じると共に画像が切り替わる。その後、「閉じる」ボタン１２４をクリックすることで、画像が更新された更新ページとなる。
【００４０】
このようにして、テキスト表示及び画像表示について更新内容を入力し（Ｓ７）、「更新」ボタン１１３を押すことによって、その更新内容に関する情報、すなわち、更新された箇所を反映したファイルがサーバ１に送信され（Ｓ８）、図３に示す更新ページ１００が表示され、更新された画面を確認したい場合には、「結果を見る」項目１０８をクリックする（Ｓ９−Ｙｅｓ）ことによって、更新内容の表示要求がサーバ１に送信され（Ｓ１０）、更新内容を反映した更新ページを利用者端末Ａに送信し、当該画像が利用者端末Ａで確認して（Ｓ１１）終了する。またこのとき、更新内容を反映した更新ページを構成するファイルを元のファイル（Ｓ３において読み込まれたファイル）に上書き（Ｓ１２）して終了する。さらに、更新された画面を確認する必要がない場合（Ｓ９−Ｎｏ）においても、更新内容を反映した更新ページを構成するファイルを元のファイルに上書きしているので、このまま終了する。
【００４１】
ここで、本実施形態は、ホームページを構成するファイルが加工されていない状態で蓄積手段２に記憶されていることを前提として説明したが、利用者が２回目以降に本発明を利用する場合は、ホームページを構成するファイルが加工された状態で蓄積手段２に記憶されていることになる。
【００４２】
本発明に係るホームページ更新支援プログラムは、以上に説明したホームページ更新支援方法のプロセスがプログラムとして構成されたものであり、その実施の形態は前述のホームページ更新支援方法と同様である。
【００４３】
また、本発明に係るホームページ更新支援プログラムを記録したコンピュータ読み取り可能な記録媒体は、以上に説明したホームページ更新支援方法のプロセスがプログラムとして構成されたものを記録媒体に記録し、その記録媒体の内容をコンピュータに読みとらせ、実行させるものである。従って、その実施の形態は前述のホームページ更新支援方法と同様である。このように、本発明に係るホームページ更新支援方法をプログラムやそのプログラムをコンピュータに実行可能な記録媒体とすることにより、サーバにアクセスすることなく更新済みのホームページ構成ファイルを簡単に利用者端末側で作成できるので、その作成された更新済みのホームページ構成ファイルをサーバにアップロードする時にだけ、サーバとの送受信を行えばよいという利便さがある。
【００４４】
【発明の効果】
以上、説明したように、本発明記載の請求項１，４，７，１０及び１３によれば、利用者がホームページを更新する際に、テキスト表示される箇所がテキストボックスとして利用者端末側から入力できる画面に加工されるので、どの箇所をどのように更新しているかが利用者にとって視覚的に把握でき、簡単かつスムーズな更新作業を提供することができる。
【００４５】
また、本発明記載の請求項２，５，８，１１及び１４によれば、利用者がホームページを更新する際に、画像表示された箇所を利用者端末側でクリックするとポップアップウィンドウとして当該画像の更新対象を参照する表示がなされる画面に加工されるので、どの画像をどの画像に代替するかが利用者にとって視覚的に把握でき、簡単かつスムーズな更新作業を提供することができる。
【００４６】
また、本発明記載の請求項３，６，９，１２及び１５によれば、利用者がホームページ上のテキスト表示や画像表示を更新した後に、更新された内容が更新入力画面に代わって表示されるので、どのような更新がなされたかの確認が視覚的に把握でき、利用者にとって使い勝手の良い更新作業を提供することができる。
【図面の簡単な説明】
【図１】本発明に係るホームページ更新支援システムの実施形態における構成を示すブロック図。
【図２】本発明に係るホームページ更新支援方法の実施形態においてサーバと利用者端末との間で行われる動作を示すシーケンス図。
【図３】本発明に係るホームページ更新支援方法の実施形態において利用者端末の画面上に表示される内容を示す図。
【図４】本発明に係るホームページ更新支援方法の実施形態において利用者端末の画面上に表示される内容を示す図。
【図５】本発明に係るホームページ更新支援方法の実施形態において利用者端末の画面上に表示される内容を示す図。
【図６】本発明に係るホームページ更新支援方法の実施形態において利用者端末の画面上に表示される内容を示す図。
【符号の説明】
１  サーバ
２  データベース
３  ネットワーク
１０  通信手段
１１  表示情報出力手段
１２  更新入力画面作成手段
１３  制御手段
【図１】
2004334528.tif 000003
【図２】
2004334528.tif 000004
【図３】
2004334528.tif 000005
【図４】
2004334528.tif 000006
【図５】
2004334528.tif 000007
【図６】
2004334528.tif 000008